(57)【特許請求の範囲】
【請求項１】
造営面に設置される防水機能を有する外装内に、電源プラグが接続されるコンセント本体と、制御用配線が挿通される入線挿通部とが併設され、コンセント本体と入線挿通部との間に絶縁板を配設し、コンセント本体に係止穴を設けると共に、絶縁板に、外装内に配設されたコンセント本体の係止穴に着脱自在に係止される係止爪を形成して成ることを特徴とするコンセント。
【請求項２】
二個の電源プラグが同時に接続されるコンセント本体と、入線挿通部とが併設されて成ることを特徴とする請求項１に記載のコンセント。
【請求項３】
絶縁板を造営面側に向けて突出するように形成すると共に、この絶縁板に他の部分より薄肉に形成された凹溝を並列に複数条形成して成ることを特徴とする請求項１又は２に記載のコンセント。
【請求項４】
絶縁板が着脱自在に配設されて成ることを特徴とする請求項１乃至３のいずれかに記載のコンセント。
【請求項５】
絶縁板の、入線挿通部とコンセント本体との間に配置されている領域に、入線挿通部側からコンセント本体側に向けて突出するように湾曲する湾曲部を形成して成ることを特徴とする請求項１乃至４のいずれかに記載のコンセント。
【請求項６】
アースターミナルを具備して成ることを特徴とする請求項１乃至５のいずれかに記載のコンセント。
【請求項７】
コンセントの外面にて制御用配線を固定する配線固定具を具備して成ることを特徴とする請求項１乃至６のいずれかに記載のコンセント。
【発明の詳細な説明】
【０００１】
【発明の属する技術分野】
本発明は、電源プラグを接続できるコンセントに関するものである。
【０００２】
【従来の技術】
従来から、アースピン付きの電源プラグを接続できるコンセントとして、屋外において壁面等の造営面に設置されるものがあり、このようなコンセントとして、防水を施したものがある。
【０００３】
【発明が解決しようとする課題】
しかし、このようなコンセントから電力が供給される機器として、例えば屋外設置型の情報通信端末等のように、外部からの制御信号の入力や、外部との通信信号等の信号の交換を行う機器が提供されるようになるに従い、このような機器に制御信号や通信信号等を伝達するための制御用配線を接続する必要が生じてきた。このような制御用配線を配設する場合は、従来は、コンセントとは別途に、壁面等の造営面の裏側にから制御用配線を引き出すための防雨性のカバー等を配設する必要があったが、コンセントとは別途の設備であるため、コンセントとは別途に配設しなければならず、施工が煩雑なものであった。
【０００４】
本発明は上記の点に鑑みてなされたものであり、屋外設置型の機器に対して、電源の接続だけでなく制御用配線の接続をも可能とすることができるコンセントを提供することを目的とするものである。
【０００５】
【課題を解決するための手段】
本発明の請求項１に係るコンセントは、造営面に設置される防水機能を有する外装に、電源プラグが接続されるコンセント本体１０と、制御用配線１３０が挿通される入線挿通部１とが併設され、コンセント本体１０と入線挿通部１との間に絶縁板６００を配設し、コンセント本体１０に係止穴１１０を設けると共に、絶縁板６００に、外装内に配設されたコンセント本体１０の係止穴１１０に着脱自在に係止される係止爪６０６を形成して成ることを特徴とするものである。
【０００６】
また請求項２に記載の発明は、請求項１の構成に加えて、二個の電源プラグが同時に接続されるコンセント本体１０と、入線挿通部１とが併設されて成ることを特徴とするものである。
【０００８】
また請求項３に記載の発明は、請求項１又は２の構成に加えて、絶縁板６００を造営面側に向けて突出するように形成すると共に、この絶縁板６００に他の部分より薄肉に形成された凹溝６０５を並列に複数条形成して成ることを特徴とするものである。
【００１０】
また請求項４に記載の発明は、請求項１乃至３のいずれかの構成に加えて、絶縁板６００が着脱自在に配設されて成ることを特徴とするものである。
【００１２】
また請求項５に記載の発明は、請求項１乃至４のいずれかの構成に加えて、絶縁板６００の、入線挿通部１とコンセント本体１０との間に配置されている領域に、入線挿通部１側からコンセント本体１０側に向けて突出するように湾曲する湾曲部６１２を形成して成ることを特徴とするものである。
【００１３】
また請求項６に記載の発明は、請求項１乃至５のいずれかの構成に加えて、アースターミナルを具備して成ることを特徴とするものである。
【００１４】
また請求項７に記載の発明は、請求項１乃至６のいずれかの構成に加えて、コンセントの外面にて制御用配線１３０を固定する配線固定具２０６を具備して成ることを特徴とするものである。
【００１５】
【発明の実施の形態】
以下、本発明を実施形態により説明する。
【００１６】
本実施例のコンセントは、屋外の壁材Ａ等の造営材の表面（造営面）に取り付けられるものである。以下、コンセントを鉛直方向の造営面に対して配設した場合の、コンセントに対して造営面とは反対側を前方、造営面側を後方として、図２〜９を示してコンセントの構成を説明する。
【００１７】
コンセントの外装は、ケース２と、防水パッキン８とから構成されている。
【００１８】
ケース２の背面の全面には、後方に向けて開口して、ケース２の内部と外部とを連通する開口が設けられている。この開口の周囲には、全周に亘って、背面側に突出するリブ２ａが突設されている。
【００１９】
ケース２の前面側には、前方に向けて突出する膨出部２０が形成されている。膨出部２０の両側面は略三角形状に形成され、前面は、上面後方から前面下方に向けて、外方に突出しながらなだらかに湾曲する面一な曲面として形成されている。また、膨出部２０の下面は略矩形状に形成され、ケース２の内部と外部とを連通する接続開口２０１が下方に向けて開口している。この接続開口２０１の開口周縁の、前面側及び両側面側からは、下方に向けて突出するコ字状の雨避け用のフード２１が設けられている。
【００２０】
ここで、膨出部２０内は、膨出部２０内を左右に分割した一側部にコンセント本体１０が、他側部に入線挿通部１が、それぞれ形成される。このとき接続開口２０１の左右に分割した両側部のうち、入線挿通部１に対応する個所には、枠プレート２０２が設けられている。この枠プレート２０２は、接続開口２０１の内外を仕切るように配設されており、接続開口２０１の内外を連通する連通口２０３が設けられている。一方、接続開口２０１の、コンセント本体１０が形成される箇所は、枠プレート２０２のような接続開口２０１の内外を仕切るような部材は形成せず、矩形状に開口したコンセント用開口２０４として形成されている。また枠プレート２０２の後端部には、一対の係止孔２１７が左右に並んで穿設されている。
【００２１】
また膨出部２０の下方には、膨出部２０の接続開口２０１の周縁の背面側から下方に向けて垂下部２２が延設されている。この垂下部２２と膨出部２０の内部は連通するように形成されている。
【００２２】
このケース２の垂下部２２の、コンセント本体１０側の前面には後述するリード板６１に一体形成された螺合部６２を露呈する穴２７が形成されており、この垂下部２２の内部には、図示はしないが、リード板６１用の位置決め溝が形成されている。また垂下部２２の前部の中央には、固定ねじ２４を通す貫通孔２９が穿設されている。また膨出部２０の内底面の上端には、図示はしないが、ボスを形成し、前面からこのボス内を貫通して固定ねじ２４を通す貫通孔２３が穿設されている。また膨出部２０の内底面のコンセント本体１０側には、図示はしないがコンセント本体１０を固定するためのねじ孔が穿設されたボスが形成されている。上記貫通孔２９及び貫通孔２３を通して固定ねじ２４を螺合することでコンセントの壁材Ａへの取り付けが行われる。
【００２３】
また垂下部２２の前面を構成する前面板２２０の、入線挿通部１側の前面には、枠プレート２０２の連通口２０３の下方に、前面側に開口する固定用凹所２０５が凹設されている。この固定用凹所２０５は後述するように入線挿通部１に挿通される配線の固定に用いる。また前面板２２０にはこの固定用凹所２０５の側方に、配線押さえ金具２０６を取り付けるための配置凹所２０７が形成されている。この配置凹所２０７の上下両側には、配線押さえ金具２０６の足部２１１が挿通されるスリット状の挿通孔２０８がそれぞれ形成されている。また配置凹所２０７の略中央部には、配線押さえ金具２０６を固定するための固定ねじ２１３等の固着具を通す貫通穴２０９が穿設されている。
【００２４】
一方、配線押さえ用金具２０６は、前片２１０の上下両側から後方に向けて足部２１１が延設されており、前片２１０には、固定ねじ２１３等の固着具を通す貫通穴２１２が穿設されている。この前片２１０を配置凹所２０７の前面に配置すると共に足部２１１を挿通孔２０８に挿通し、固定ねじ２１３を前片２１０の貫通穴２１２及び配置凹所２０７の貫通穴２０９に挿通・螺合して固定することにより配線押さえ用金具２０６がケース２に対して固定される。ここで、前片２１０からは固定用凹所２０５側の側方に向けて爪片２１４が延設されており、この爪片２１４は、押さえ用金具２０６が配置凹所２０７に配置された状態で固定用凹所２０５の前方に配置されるものである。この爪片２１４によって、固定用凹所２０５に配置された制御用配線１３０が押さえつけられて固定されることとなる。
【００２５】
防水パッキン８は、ゴム等の軟質な樹脂材にて形成されているものであり、ケース２と略同一の正面視寸法を有している。防水パッキン８の前面側の周縁には、全周に亘って、ケース２のリブ２ａに合致する嵌合溝８２が前方に開口するように凹設されている。またこの防水パッキン８には、前後方向に貫通する矩形状の開口８０が設けられている。この開口８０はケース２の膨出部２０に対応する位置に形成されており、更に詳しくは後述するように膨出部２０内に配設されるボディ３の電線挿入孔３０や解除孔３１及び入線挿通部１に対応する位置に形成されている。また、防水パッキン８の上部には、ケース２の貫通孔２３と合致する貫通孔８１が形成されており、防水パッキン８の下部にはケース２の貫通孔２９と合致する貫通孔８３が形成されている。
【００２６】
コンセント本体１０は、接地極用栓刃が設けられた電源プラグを接続することができるようになっており、図９に示すように、電源プラグの電源用栓刃を接続する二つの刃受ばね６ａ，６ｂ、接地極用栓刃を接続する一つの刃受ばね６ｃと、これらの刃受ばね６ａ〜６ｃに、電源用配線の電源線やアース線を接続する速結端子構造の複数の接続端子部７と、この刃受ばね６ａ〜６ｃや接続端子部７が組込まれ、前面及び下面が開口するボディ３と、このボディ３の前面に被着され背面及び下面が開口するカバー４と、上記ボディ３にカバー４を被着した状態で開口する下面開口に被着される下カバー５とで構成されている。
【００２７】
ボディ３の内部は、下方のばね収納部１０１と、上方の端子収納部１０２との上下の各収納部１０１，１０２に分離されており、ばね収納部１０１には刃受ばね６が収納され、端子収納部１０２には電源用配線１３１の電源線やアース線を夫々接続する接続端子部７の構成部品が収納される。ここで、端子収納部１０２は、左右方向に二個の収納室１０３，１０４に分離されており、一方の収納室１０３には電源線と刃受ばね６ａ，６ｂとを接続する接続端子部７の構成部品が収納され、他方の収納室１０４にはアース線と刃受ばね６ｃとを接続する接続端子部７の構成部品が収納される。
【００２８】
上記ばね収納部１０１に収納される刃受ばね６ａ，６ｂ，６ｃのうち、電源用栓刃用の刃受ばね６ａ，６ｂには、下カバー５の電源用の栓刃挿入孔５２を通して挿入される電源プラグの栓刃を扶持する形で受ける２個の刃受部６０ａ，６０ｂが一体に形成されている。このそれぞれの刃受部６０ａ，６０ｂの先端形状は栓刃挿入孔５２の形状に合わせた弧状に形成されており、栓刃を回転した際に栓刃の抜けを防止する係止用のダボが形成されている。つまり刃受ばね６ａ，６ｂは抜け止め刃受ばねを構成する。また、接地用栓刃用の刃受ばね６ｃは接地極用栓刃を扶持する形で受ける刃受部６０ｃを備える。
【００２９】
接続端子部７は、いわゆる速結端子構造となっており、ボディ３の端子収納部１０２内の収納室１０３，１０４にそれぞれ収納される一対の鎖錠ばね７０と、解除釦７１と、鎖錠ばね７０を覆う形で収納室１０３，１０４内に収納される端子板７２とからなり、収納室１０３，１０４の底面に穿設された電線挿入孔３０から挿入される電源用配線１３１の電源線やアース線の芯線１３２を鎖錠ばね７０と端子板７２の間で弾性扶持して接続するようになっている。そして、この電源線を抜く場合には解除釦７１を解除孔３１から押すと、解除釦７１が鎖錠ばね７０を押圧することにより鎖錠ばね７０を電源線の芯線１３２から引き離すように作用して電源線が抜けるようになっている。ここで、アース線を接続する接続端子部７と電源線を接続する接続端子部７とを明確に識別できるように、アース線を接続する接続端子部７の解除釦７１の色を、電源線を接続する接続端子部７の解除釦７１の色と異ならせることが好ましい。上記端子板７２からはそれぞれ連結片７３が延設され、端子板７２は、この連結片７３によりそれぞれ対応する刃受ばね６ａ〜６ｃと、かしめ結合等によって一体に連結されている。
【００３０】
ボディ３の背面には、背面側から収納室１０３内に電源線の芯線１３２を挿入する電線挿入孔３０と、背面側から収納室１０４内にアース線の芯線１３２を挿入する芯線挿入孔３０とが、各収納室１０３，１０４に連通するように穿設して形成されている。また後述する解除釦７１が露出する解除孔３１も形成されている。
【００３１】
このボディ３の一側部及び上部にはケース２にコンセント本体１０を固定するための固定ねじ３８を挿通する挿通孔３２が穿設された取付片３３が形成されている。
【００３２】
また、下カバー５は、外周面に、下面よりやや上方において鍔片５５が周設されており、この鍔片５５の上面には、ボディ３にカバー４を被着した際の開口側の外周面を包み込む形で保持する保持リブ５４が形成されている。この下カバー５の下面には上記ばね収納部１０１に収納される刃受ばね６ａ，６ｂに対応して電源プラグの電源用栓刃を挿入する栓刃挿入孔５２が穿設されると共に、刃受ばね６ｃに対応して接地極用栓刃を挿入する接地極用栓刃挿入孔５３（以下実施形態の説明においてピン挿入孔５３と称する）が穿設されており、夫々の挿入孔５２，５３は円弧状に形成され、挿入した栓刃及び接地極用栓刃を所定角度回転することができるようになっている。
【００３３】
また、本実施例のコンセントでは、コンセント本体１０の栓刃挿入孔５２及びピン挿入孔５３を電源用栓刃や接地極用栓刃の不挿入時に閉塞する構造となっている。すなわち、栓刃挿入孔５２を閉塞する扉３４が設けられると共に、栓刃が挿入されていない時に扉３４を栓刃挿入孔５２を閉塞するように弾発する板ばね３５が設けられている。
【００３４】
板ばね３５はボディ３及びカバー４のばね収納部１０１に突設された突起（ボディ３の場合には突起３ａ）に、板ばね３５に設けられている嵌合孔３０１を挿通・嵌合させることにより取り付けられている。ここで板ばね３５にはコ字状の切り抜きが形成されると共に、この切り抜き部分の内側の切り残し部分を切り起こして弾性片３６が形成されており、この弾性片３６によって扉３４が弾発されている。
【００３５】
扉３４は上記板ばね３５と刃受ばね６との間に介装され、先端に栓刃挿入孔５２を閉塞する閉塞片３７が形成されている。この閉塞片３７の刃受ばね６側に臨む面は奥に行くほどに傾斜したテーパ面に形成されており、栓刃をスムーズに導入できるようにしてある。そして、電源プラグの栓刃の不挿入時には閉塞片３７が栓刃挿入孔５２を閉塞する。
【００３６】
一方、ピン挿入孔５３の不使用時の閉塞も略同様にして扉３４及び板ばね３５により行う。このアース用の刃受ばね６ｃの部分では、図示はしないが、板ばね３５はボディ３のばね収納部１０１の側面に対向して形成されている一対のスライド溝内にスライド挿入して固定されている。
【００３７】
また、リード板６１は、図９に示すように、一端部をコ字状に屈曲成形して前方に突出させると共に、コ字状部の中央片にねじ孔６９が穿設された螺合部６２が形成されている。この螺合部６２にはアースねじ６４が螺合され、螺合部６２とアースねじ６４とでアースをとるアースターミナルが構成されて、ケース２の垂下部２２に配置される。この螺合部６２の前面の左右両側には弧状の抜止め片６３を形成し、この螺合部６２にアースねじ６４を螺合してアース線を接続する場合に、このアース線がアースねじ６４と螺合部６２との間に容易に保持できるようにしてある。
【００３８】
なお、この螺合部６２の上下両側部にはリード板６１をケース２に固定するための固定ねじ６５用の挿通孔６６と切欠６７とを形成してある。
【００３９】
またこのリード板６１の中央部は複数段に折曲し、上端の一側部にコンセント本体１０側に突出するくさび状の爪片６８が形成されている。本実施例ではこのリード板６１を、コンセント本体１０のアース用の接続端子部７に接続するようにしてある。ここで、ボディ３には、収納室１０４の底面にリード板６１の爪片６８が挿入される挿入孔３０′が形成されており、爪片６８は挿入孔３０′に挿入されることにより、収納室１０４内に配置されているアース線接続用の接続端子部７と接続されて導通が確保される。
【００４０】
また膨出部２０の内部における枠プレート２０２の上面側にはブッシング５０１が配設されると共に、このブッシング５０１を固定するための押さえ板５０２が配置されている。
【００４１】
ブッシング５０１はゴム等の軟質の樹脂材料にて形成されている。ブッシング５０１の板片５１１は、左右幅方向の寸法が上記の枠プレート２０２と略同一で、前後方向の長さ寸法が枠プレート２０２よりも大きくなるように形成された平板矩形状に形成されている。この板片５１１の前端部からは上方側から後方に向けて屈曲するように形成されたフック片５０５が設けられており、また板片５１１の後端部からは下方に向けて係止片５０６が延出されている。また板片５１１の下面からは、下方に向けて、枠プレート２０２の連通口２０３内に嵌合するリブ枠５１２が突設されている。このリブ枠５１２に囲まれた領域には、十字状のスリット５０４によって分離された四個のヒレ片５０３が、リブ片５１２の内周面から延設されている。また、板片５１１の後方の、上記の枠プレート２０２の係止孔２１７に合致する位置には、係止孔２１７よりも前方側への開口寸法が大きくなるように形成された挿通孔５１５が穿設されている。
【００４２】
また押さえ板５０２の板片５１３は、左右幅方向の寸法が上記の枠プレート２０２と略同一で、前後方向の長さ寸法が枠プレート２０２よりも大きくなる平板矩形状に形成されている。この板片５１３の周縁後部からは、下方に向けて係止片５０８が延設されている。この係止片５０８の下端の略中心部からは、下方に向けて突起部５０９が延設されており、突起部５０９の先端には係止爪５１０が前方に向けて突設されている。また板片５１３の周縁側部からは、側面視三角形状の側片５１４が、上方に向けて延設されている。また板片５１３には、上記のリブ枠５１２の内側の領域と略同一寸法を有する開口５０７が形成されている。また板片５１３の後部には、上下方向に貫通する一対のコ字状のスリット５１６が、左右に並んで形成されており、この各スリット５１６で囲まれた内側には、前方から後方に向けて垂下するように形成された係止片５１７が設けられている。係止片５１７の先端には、ブッシング５０１の挿通孔５１５に合致する形状の係止部５１８が下方に向けて突設され、更に係止部５１８の下面後端からは、下方に向けて、枠プレート２０２の係止孔２１７に合致する形状の係止爪５１９が突設されている。
【００４３】
以下、このコンセントの組立手順を簡単に説明する。
【００４４】
コンセント本体１０の組み込みにあたっては、ボディ３に下側の板ばね３５、アース側の板ばね３５、鎖錠ばね７０、解除釦７１及び端子板７２が一体になった刃受ばね６を組み込み、次にカバー４に上側の板ばね３５を取り付けて、ボディ３にカバー４を被着する。この状態で各扉３４を板ばね３５と刃受ばね６ａ〜６ｃとの間に介装し、その後、下カバー５を取り付ける。このようにして組み立てたコンセント本体１０をケース２の背面から膨出部２０内に挿入し、このときコンセント本体１０の下カバー５を膨出部２０のコンセント用開口２０４に嵌め込んでコンセント本体１０を膨出部２０内のコンセント用開口２０４側の所定位置に固定する。この状態で固定ねじ３８をケース２のボスのねじ孔に螺合することで、コンセント本体１０のケース２への取付が完了し、このとき同時にボディ３とケース２との間にカバー４及び下カバー５が扶持されて固定される。なお、下カバー５は鍔片５５により膨出部２０の開口からの抜けが防止される。
【００４５】
この状態でリード板６１の螺合部６２を穴２７から露呈させると共に、爪片６８を挿入孔３０′に挿入してリード板６１を接続端子部７に接続し、リード板６１を、挿通孔６６及び切欠６７において、ねじ６５でケース２に固定する。そして、螺合部６２にケース２の表面側からアースねじ６４を螺着することによりアースターミナルが構成される。ここで、リード板６１の固定は、打ち込み鋲によって行っても良く、この場合は特に自動組み立てに有利である。さらに、上述の場合にはリード板６１の螺合部６２の両側の挿通孔６６と切欠６７にてねじ固定を行うようにしていたが、リード板６１の先端を挿入する挿入孔をケース２に形成し、ねじ固定を１箇所とすれば、さらに組立が容易となる。
【００４６】
一方、入線挿通部１を形成するにあたっては、ブッシング５０１と押さえ板５０２とを、枠プレート２０２の上面側に配置して取り付け、押さえ板５０２と枠プレート２０２との間にブッシング５０１を介在させる。
【００４７】
このとき、ブッシング５０１の板片５１１は、押さえ板５０２の板片５１３の下面側に沿って配置され、ブッシング５０１のリブ枠５１２の配置位置と押さえ板５０２の開口５０７の配置位置とが合致されている。またブッシング５０１のフック片５０５は押さえ板５０２の板片５１３の前端縁に引っ掛けられて係止されると共に、ブッシング５０１の係止片５０６を押さえ板５０２の係止片５０８の前面側に沿って配置され、更に押さえ板５０２の係止片５１７の係止部５１８がブッシング５０１の板片５１１の挿通孔５１５内に挿通されている。このとき板片５１１の下面からは、係止爪５１９が下方に突出する。
【００４８】
また、このブッシング５０１の板片５１１は、枠プレート２０２の上面側に沿って配置され、リブ枠５１２が、枠プレート２０２の連通口２０３に嵌入されて、その下端が枠プレート２０２の下面よりも下方に突出している。
【００４９】
また、ブッシング５０１の挿通孔５１５は、枠プレート２０２の係止孔２１７に合致した位置に配置され、挿通孔５１５から突出する係止爪５１９が係止孔２１７内に配置されて係止されている。
【００５０】
更に、ブッシング５０１の板片５１１の下面後部は、垂下部２２の前面を構成する前面板２２０の上端面に当接し、係止片５０６の先端が、前面板２２０の背面から後方に向けて突出された上係止リブ２２１に当接して係止されている。また押さえ板５０２の係止爪５１０は、上係止リブ２２１と、上係止リブ２２１の下方において前面板２２０の背面から後方に向けて突出された下係止リブ２２２との間に配置されて引っ掛けられ、係止されている。
【００５１】
このとき、膨出部２０内におけるコンセント本体１０の側方に空間が形成され、この空間にて入線挿通部１が構成される。
【００５２】
このようにコンセント本体１０と入線挿通部１とが形成されたケース２には、防水パッキン８が、ケース２のリブ２ａに嵌合溝８２を嵌合することにより取り付けられる。このとき、防水パッキン８の開口８０は、膨出部２０に対応する位置に配置され、この開口８０を介して、コンセント本体１０及び入線挿通部１が背面側に露出することとなる。
【００５３】
この状態で、コンセントには、絶縁板６００が取り付けられ、入線挿通部１とコンセント本体１０との間の絶縁性が確保されている。
【００５４】
絶縁板６００はケース２と別体に形成されて、ケース２に取り付けられるように形成されている。また、絶縁板６００は、樹脂成形品等の絶縁材料にて形成されており、内部仕切部６０１と、内部仕切部６０１から後方に向けて延出されている外部仕切部６０２とから構成されている。
【００５５】
内部仕切部６０１は略矩形状に形成されており、膨出部２０内における、コンセント本体１０と入線挿通部１との間に配設される。この内部仕切部６０１は、膨出部２０内のコンセント本体１０と入線挿通部１との間において、防水パッキン８の開口８０の上下各両端縁側にそれぞれ対向させて配置されている前後方向に長い平行並列な一対の支持レール６１０によって支持されている。各支持レール６１０は、対向する他方の支持レール６１０に向けて開口する前後方向の凹溝６１１が形成されており、この凹溝６１１の後端は、開口８０に向けて開口している。そして、図６，７に示すように、内部仕切部６０１は、防水パッキン８の開口８０を介して背面側から内部仕切部６０１の上端縁及び下端縁をそれぞれ支持レール６１０の凹溝６１１内に配置し、前方に向けてスライドさせることにより凹溝内に遊嵌されて支持される。ここで、内部仕切部６０１にはコ字状のスリット６０３が穿設されると共に、このスリット６０３に囲まれた、後方から前方に向かって延出された係止片６０４が形成されており、この係止片６０４の、コンセント本体１０側の面の先端には、係止爪６０６が突設されている。一方、コンセント本体１０の、入線挿通部１側の側面には、係止爪６０６と合致する係止穴１１０が凹設されており、絶縁板６００は、支持レール６１０に遊嵌された状態において、図８に示すように係止爪６０６が係止穴１１０内に配置されて係止されることにより、抜け止めがなされる。
【００５６】
一方、外部仕切部６０２は、コンセントから後方に向けて突出するように配設され、コンセントの背面側を、入線挿通部１側と、コンセント本体１０側とに仕切っているものである。この外部仕切部６０２は、内部仕切部６０１の後端から後方に突出する上仕切部６０８と、上仕切部６０８から下方に延出された下仕切部６０７とから構成されている。この上仕切部６０８には、コンセント本体１０側に向けて突出するようにアーチ状（円弧状）に湾曲する湾曲部６１２が形成されている。また、下仕切部６０７は、平面視略矩形状に形成されている。
【００５７】
また外部仕切部６０２の一面には、上下方向の凹溝６０５が複数条、前後方向に並んで、平行並列に凹設されており、この凹溝６０５が形成されている部分の厚みは、他の部分よりも肉薄となっている。
【００５８】
ここで、絶縁板６００を取り外す場合には、まず外部仕切部６０２に入線挿通部１側に向けて荷重をかけることにより付勢し、絶縁板６００を、内部仕切部６０１の最前端を支点として湾曲させる。このとき絶縁板６００の係止爪６０６がコンセント本体１０の係止穴１１０内から脱離して、係止状態が解除される。この状態で絶縁板６００を後方に向けて、支持レール６１０に沿って引き抜くことにより、絶縁板６００が取り外される。
【００５９】
また、絶縁板６００の外部仕切部６０２は、肉薄となっている凹溝６０５において容易に折り割ることができ、このように外部仕切部６０２を、複数条の凹溝６０５のうちの適宜の凹溝６０５にて折り割ることにより、外部仕切部６０２の、後方への突出寸法を容易に調節することができ、例えば後述するように取付ボックス１２０内に外部仕切部６０２を配置する場合に、外部仕切部６０２が取付ボックス１２０内に収まるように外部仕切部６０２の後方への突出寸法を調節するなど、コンセントの設置状況に応じて絶縁板６００の寸法を調節することができる。
【００６０】
このコンセントは、取付枠９及び取付ボックス１２０を用いて、図１に示すように、壁材Ａ等の造営材に取り付けられる。
【００６１】
壁材Ａには、取付用開口Ｂが穿設されているものであり、この取付用開口Ｂの背面側に、取付ボックス１２０が配設されている。取付ボックス１２０には、上面及び下面にそれぞれ、取付ボックス１２０の内外を連通する上挿通孔１２１及び下挿通孔１２２が形成されている。また、取付ボックス１２０の前面側には、挿通開口１２５が形成されておりこの挿通開口１２５の周縁部からは、前方に向けて突出するスペース片１２３が延設されている。このスペース片１２３の突出寸法は、壁材Ａの厚みと略等しく形成され、このスペース片１２３の先端からは、内方に向けて当接片１２４が延出されている。
【００６２】
ここで、取付ボックス１２０は、スペース片１２３を壁材Ａの背面側から取付用開口Ｂ内に挿通させることにより形成されているものであり、このとき取付ボックス１２０は、取付用開口Ｂを介して、内部と壁材Ａの外側とが連通した状態となり、また当接片１２４が、壁材Ａの表面側の壁面と略面一に配置される。
【００６３】
この壁材Ａに取り付けられた取付ボックス１２０に、取付枠９が取り付けられる。取付枠９は矩形状に形成されると共に、矩形状の開口９２が形成されているものであり、上部には取付孔９０が形成されていると共に、ケース２の貫通孔２３及び防水パッキン８の貫通孔８１に合致する貫通孔９１が形成されている。また取付枠９の下部には、取付孔９０が形成されると共に、ケース２の貫通孔２９及び防水パッキン８の貫通孔８３に合致する貫通孔９３が形成されている。取付枠９は、取付孔９０と通して取付ボックス１２０にボックスねじ等の固着具を螺着することにより、取付ボックス１２０に取り付けられる。
【００６４】
また、壁面Ａの裏側に配設されている電源用配線１３１や制御用配線１３０を、取付ボックス１２０の上挿通口１２１や下挿通口１２２から取付ボックス１２０内に導入し、更に挿通開口１２５を通じて取付ボックス１２０外に導出することにより、取付用開口Ｂを通じて壁材Ａの表面側に導出しておく。ここで、制御用配線１３０とは、例えば各種の信号を電気的あるいは光学的に伝達する伝達ラインであり、電源用配線１３１からの電力の供給を受けて作動する機器に接続され、この機器を制御するための制御信号や通信信号をこの機器に伝達したり、あるいはこの機器から外部に出力される制御信号や通信信号を他の機器等伝達したりするために配設されるものを挙げることができる。図示の例では、電源用配線１３１は上挿通孔１２１から、制御用配線１３０は下挿通孔１２２から、それぞれ取付ボックス１２０内に導入されている。
【００６５】
この状態で、コンセントを取付枠９の前面側に配置し、制御用配線１３０を、入線挿通部１側において、取付枠９の開口９２、防水パッキン８の開口８０を介して、膨出部２０内の入線挿通部１内に導入する。そして、制御用配線１３０を、更に膨出部２０の接続開口２０１を通ってコンセント外に導出する。このとき制御用配線１３０は、押さえ板５０２の開口５０７、ブッシング５０１のリブ片５１２の内側、枠プレート２０２の連通口を介して入線挿通部１からコンセントの外側に導出されるものであり、このとき、ブッシング５０１のリブ片５１２の内側においては、制御用配線１３０は、ヒレ片５０３が湾曲変形することによって挿通され、この湾曲されたヒレ片５０３によって、制御用配線１３０が挟持されると共に、制御用配線１３０が導出される部分におけるコンセントの開口量が低減されて防水性が向上される。
【００６６】
また、電源用配線１３１の電源線やアース線等の芯線１３２を、コンセント本体１０側において、取付枠９の開口９２、防水パッキン８の開口８０を介して、膨出部２０内のコンセント本体１０側に導入し、電源線等の芯線１３２をコンセント本体１０の電線挿入孔３０に挿通して、接続する。
【００６７】
絶縁板６００は、このように電源用配線１３１の結線や制御用配線１３０の配設等の配線作業を行った後に、コンセントに取り付ける。このようにすると、コンセントの背面側において配線作業を行うための充分なスペースが確保される。
【００６８】
そして、絶縁板６００の外部仕切部６０２が取付枠９の開口９２を通して取付ボックス１２０内に配置されるようにして、コンセントを壁材Ａの表面に配置する。このとき、絶縁板６００の、後方への突出寸法（外部仕切部６０２の前後方向の寸法）が、取付ボックス１２０内部の前後方向の寸法よりも大きい場合は、外部仕切部６０２を適宜の凹溝６０５にて折り割ることにより、絶縁板６００の後方への突出寸法を小さくして、絶縁板６００の外部仕切部６０２が取付ボックス１２０内に収まるようにすることができる。
【００６９】
そして、ケース２の貫通孔２３、防水パッキン８の貫通孔８１及び取付枠９の貫通孔９１を連通させて、この貫通孔２３，８１，９１に防水パッキン８に挿通された固定ねじ２４を螺着し、一方、ケース２の貫通孔２９、防水パッキン８の貫通孔８３及び取付枠９の貫通孔９３を連通させて、この貫通孔２９，８３，９３に防水パッキン８に挿通された固定ねじ２４を螺着することにより、取付枠９に対してコンセントを固定し、コンセントを壁材Ａに取り付けるものである。
【００７０】
ここで、ケース２から導出された制御用配線１３０は、垂下部２２の固定用凹所２０５の前方に配置すると共に、押さえ用金具２０６の爪片２１４をこの制御用配線１３０の前方に配置し、この状態で、固定ねじ２１３を締結することにより、爪片２１４にて制御用配線１３０を固定用凹所２０５に向けて押圧するものであり、このため、制御用配線１３０がケース２の垂下部２２の固定用凹所２０５の前方において、コンセントに固定される。
【００７１】
また、入線挿通部１に制御用配線１３０を配置するにあたっては、壁面Ａの背面側において、制御用配線１３０がＣＤ管やあるいはＰＦ管のような合成樹脂可撓管等の配線付設用の管１３３の内部に配置した状態で配設されている場合は、この管１３３の先端を入線挿通部１の背面に向けて配置し、この管１３３から制御用配線１３０を引き出して入線挿通部１内に導入するものである。このとき、絶縁板６００に湾曲部６１２が形成されていると、コンセントの背面側において、絶縁板６００の入線挿通部１側に、管１３３が配置されるスペースが確保される。
【００７２】
上記の例では、コンセント本体１０として、一度に一つの電源プラグのみが接続されるように形成されたものが用いられているが、同時に複数個の電源プラグが接続されるコンセント本体１０を設けるようにしても良いものである。図１０は、二つの電源プラグが同時に接続されるコンセント本体１０を設けたものであり、下カバー５には、コンセント本体１０の二つの栓刃挿入孔５２と一つのピン挿入孔５３とからなる電源プラグ接続部が、左右に並んで二つ併設されている。このコンセント本体１０の内部には、各栓刃挿入孔５２及びピン挿入孔５３に対応する位置に、既述の場合と同様に、電源プラグの電源用栓刃を接続する刃受ばね６ａ，６ｂ、接地極用栓刃を接続する刃受ばね６ｃ、これらの刃受ばね６ａ〜６ｃに電源線、アース線を接続する速結端子構造の接続端子部７が、設けられている。この場合、一つのコンセント本体１０をコンセントに設けるだけで、二つの電源プラグが同時に接続されるコンセントが得られる。
【００７４】
【発明の効果】
上記のように本発明の請求項１に係るコンセントは、造営面に設置される防水機能を有する外装内に、電源プラグが接続されるコンセント本体と、制御用配線が挿通される入線挿通部とが併設されているため、電源プラグが接続されるコンセントに制御用配線をも配設することができ、制御用配線を配設するための別途の設備を配設する必要がなく、施工を簡便なものとすることができるものである。また、コンセント本体と入線挿通部との間に、絶縁板を配設したため、コンセント本体に電力を供給するために接続される電源用配線と、入線挿通部に配置される制御用配線との間の絶縁を維持することができるものである。さらに、コンセント本体に係止穴を設けると共に、絶縁板に、外装内に配設されたコンセント本体の係止穴に着脱自在に係止される係止爪を形成したため、絶縁板をコンセントに容易に着脱することができ、コンセントを配設する場所の状況に応じて絶縁板を取り付けたり、あるいは取り外したりすることが容易となるものである。
【００７５】
また請求項２に記載の発明は、請求項１の構成に加えて、二個の電源プラグが同時に接続されるコンセント本体と、入線挿通部とが併設されているため、一つのコンセント本体を設けるだけで二つの電源プラグを接続することができるものである。
【００７７】
また請求項３に記載の発明は、請求項１又は２の構成に加えて、絶縁板を造営面側に向けて突出するように形成すると共に、この絶縁板に他の部分より薄肉に形成された凹溝を並列に複数条形成したため、この凹溝にて絶縁板を折り割ることによって、絶縁板の寸法を容易に変更することができ、コンセントを配設する場所の状況に応じて絶縁板の寸法を容易に変更することができるものである。
【００７９】
また請求項４に記載の発明は、請求項１乃至３のいずれかの構成に加えて、絶縁板が着脱自在に配設されているため、コンセント本体に電源用配線を結線して接続したり、入線挿通部に制御用配線を配設したりする等の配線作業が終了した後に絶縁板をコンセントに取り付けることができ、絶縁板が配線作業の邪魔になることを防ぐことができるものである。
【００８１】
また請求項５に記載の発明は、請求項１乃至４のいずれかの構成に加えて、絶縁板の、入線挿通部とコンセント本体との間に配置されている領域に、入線挿通部側からコンセント本体側に向けて突出するように湾曲する湾曲部を形成したため、制御用配線をＣＤ管やＰＦ管のような合成樹脂可撓管等の配線付設用の管の内部に配置した状態で造営面の裏側からコンセントの入線挿通部に接続する際に、湾曲部の入線挿通部側にＣＤ管やＰＦ管等の管が配置されるスペースを確保することができるものである。
【００８２】
また請求項６に記載の発明は、請求項１乃至５のいずれかの構成に加えて、アースターミナルを具備するため、接地工事を容易に行うことができるものである。
【００８３】
また請求項７に記載の発明は、請求項１乃至６のいずれかの構成に加えて、コンセントの外面にて制御用配線を固定する配線固定具を具備するため、制御用配線を配設した後、制御用配線を任意の位置にて配線固定具にて固定して制御用配線に過剰な張力がかかることを防止することができると共に、コンセントに配設された制御用配線の配置位置が不用意に変化しないようにすることができるものである。
【図面の簡単な説明】
【図１】本発明の実施の形態を示すものであり、コンセントの設置状態を示す側面の断面図である。
【図２】本発明の実施の形態の一例を示すものであり、（ａ）は側面の断面図、（ｂ）は（ａ）のイ部分の拡大図である。
【図３】同上の実施の形態を示す背面図である。
【図４】同上の実施の形態を示すものであり、（ａ）は正面図、（ｂ）は底面図である。
【図５】同上の実施の形態を示すものであり、（ａ）は配線固定具を取り除いた状態の底面図、（ｂ）は押さえ板の詳細を示す底面図である。
【図６】同上の実施の形態を示す分解斜視図である。
【図７】同上の実施の形態の動作を示す分解斜視図である。
【図８】同上の実施の形態を示す一部の断面図である。
【図９】同上の実施の形態を示す分解斜視図である。
【図１０】本発明の他の実施形態を示すものであり、（ａ）は正面図、（ｂ）は一部破断した底面図である。
【符号の説明】
１  入線挿通部
２  カバー
１０  コンセント本体
１１０  係止穴
１３０  制御用配線
２０６  配線固定具
６００  絶縁板
６０５  凹溝
６０６  係止爪
６１２  湾曲部
【図１】
0003574896.tif 000002
【図２】
0003574896.tif 000003
【図３】
0003574896.tif 000004
【図４】
0003574896.tif 000005
【図５】
0003574896.tif 000006
【図６】
0003574896.tif 000007
【図７】
0003574896.tif 000008
【図８】
0003574896.tif 000009
【図９】
0003574896.tif 000010
【図１０】
0003574896.tif 000011